(57)【要約】      （修正有）【課題】表示質量を高めることができる表示装置を提供する。【解決手段】第一基板と、第一基板の上に設置されるパーティション・エレメントと、前記パーティション・エレメントの上に設置される第二基板と、前記第一基板と第二基板との間に形成され、且つ第一基板及び第二基板によって周囲に電界が生ずる少なく１つの密封空間と、前記密封空間の中に入り、且つ第一誘電率を有する誘電液体と、前記誘電液体の中に浮き、且つ第一色及び前記第一誘電率と違う第二誘電率を有する多数の誘電泳動粒子と、前記誘電液体の中に入り、且つ前記第一色と違う第二色を有する多数の電気泳動粒子と、を含む表示装置を提供する。密封空間に二種の色を有する二種の粒子が入っているので、画素ユニットが不同な駆動状態になっても、二種の色をはっきり表示することができる。【選択図】図３
2010191401.tif 000002
【特許請求の範囲】
【請求項１】
第一基板（ｓｕｂｓｔｒａｔｅ）と、
第一基板の上に設置されるパーティション・エレメント（ｐａｒｔｉｔｉｏｎ  ｅｌｅｍｅｎｔ）と、
前記パーティション・エレメントの上に設置される第二基板と、
前記第一基板と第二基板との間に形成され、且つ第一基板及び第二基板によって周囲に電界が生ずる少なく１つの密封空間（ａｃｃｏｍｍｏｄａｔｉｎｇ  ｒｏｏｍ）と、
前記密封空間の中に入り、且つ第一誘電率を有する誘電液体（ｄｉｅｌｅｃｔｒｉｃ  ｌｉｑｕｉｄ）と、
前記誘電液体の中に浮き、且つ第一色及び前記第一誘電率と違う第二誘電率を有する多数の誘電泳動粒子（ｄｉｅｌｅｃｔｒｏｐｈｏｒｅｔｉｃ  ｐａｒｔｉｃｌｅ）と、
前記誘電液体の中に入り、且つ前記第一色と違う第二色有する多数の電気泳動粒子（ｅｌｅｃｔｒｏｐｈｏｒｅｓｉｓ  ｐａｒｔｉｃｌｅ）と、を含むことを特徴とする表示装置。
【請求項２】
前記第一基板は、第一ベースと、第一ベースの上に設置され、且つ少なく１つの第一電極を具備する第一電極層と、を含み、前記第二基板は、第二ベースと、この第二ベースの表面に設置される第二電極層と、を含むことを特徴とする請求項１に記載の表示装置。
【請求項３】
第一基板と、
第一基板の上に設置されるパーティション・エレメントと、
前記パーティション・エレメントの上に設置される第二基板と、
前記第一基板と第二基板との間に形成され、且つ第一基板及び第二基板によって周囲に電界が生ずる少なく１つの密封空間と、
前記密封空間の中に入り、且つ第一誘電率を有する誘電液体と、
前記誘電液体の中に浮き、且つ第一色及び前記第一誘電率より大きい第二誘電率を有する多数の第一誘電泳動粒子と、
前記誘電液体の中に浮き、且つ前記第一色と違う第二色と前記第一誘電率より小さい第三誘電率及び前記第一誘電泳動粒子の形状と違う形状有する多数の第二誘電泳動粒子と、を含むことを特徴とする表示装置ことを特徴とする表示装置。
【請求項４】
前記第一基板は、第一ベースと、第一ベースの上に設置され、且つ少なく１つの第一電極を具備する第一電極層と、を含み、前記第二基板は、第二ベースと、この第二ベースの表面に設置される第二電極層と、を含むことを特徴とする請求項３に記載の表示装置。
【請求項５】
前記第一誘電泳動粒子の形状が棒状又は球状であり、前記第二誘電泳動粒子の形状が球状又は棒状であることを特徴とする表示装置ことを特徴とする請求項３に記載の表示装置。
【発明の詳細な説明】
【技術分野】
【０００１】
本発明は、表示装置に関し、特に誘電泳動（ｄｉｅｌｅｃｔｒｏｐｈｏｒｅｓｉｓ）技術を利用した表示装置に関する。
【背景技術】
【０００２】
図１は、従来の技術に係る表示装置を示す断面図である。図１の表示装置１００は、第一基板（ｓｕｂｓｔｒａｔｅ）１１０と、パーティション・エレメント（ｐａｒｔｉｔｉｏｎ  ｅｌｅｍｅｎｔ）１２０と、第二基板１３０と、誘電液体（ｄｉｅｌｅｃｔｒｉｃ  ｌｉｑｕｉｄ）１４０と、多数の誘電泳動粒子（ｄｉｅｌｅｃｔｒｏｐｈｏｒｅｔｉｃ  ｐａｒｔｉｃｌｅ）１５０と、を含む。前記第一基板１１０は、第一ベース（ｂａｓｅ）１１２及び第一電極層（ｅｌｅｃｔｒｏｄｅ  ｌａｙｅｒ）１１４を含む。前記第一電極層１１４は、前記第一基板１１２の上に設置されて、白色を呈する多数の第一電極１１４ａを含む。前記パーティション・エレメント１２０は、前記第一基板１１０の上方に設置されている。
【０００３】
前記第二基板１３０は、前記パーティション・エレメント１２０の上方に位置している。前記パーティション・エレメント１２０によって、前記第一基板１１０と第二基板１３０の間に多数の密封空間（ａｃｃｏｍｍｏｄａｔｉｎｇ  ｒｏｏｍ）Ｓ１が形成される。この場合、１つの密封空間Ｓ１を１つの画像ユニットに見なすことができる。前記第二基板１３０は、第二ベース１３２と、第二ベース１３２の表面に設置される第二電極層１３４と、を含む。
【０００４】
前記誘電液体１４０は、前記密封空間Ｓ１の中に密封されている。前記第一誘電液体１４０は、所定の第一誘電率（ｄｉｅｌｅｃｔｒｉｃ  ｃｏｎｓｔａｎｔ）及び透明性を有する。前記誘電泳動粒子１５０は、前記誘電液体１４０の中に浮いている。前記誘電泳動粒子１５０は、第一誘電率より小さい第二誘電率を有する黒い粒子である。
【０００５】
図２Ａは、図１の１つの画素ユニットが第一駆動状態になっているのを示す局部断面図である。図２Ｂは、図１の１つの画素ユニットが第二駆動状態になっているのを示す局部断面図である。図２Ａのように１つの画素ユニットが第一駆動状態になっている場合、前記第一基板１１０と第二基板１３０の作用によって、前記密封空間Ｓ１（即ち画素ユニット）の周囲に不均衡な電界Ｅ１が生ずる。前記密封空間Ｓ１の中の誘電泳動粒子１５０は、電界Ｅ１によって第二基板１３０の側へ動く。最後、前記誘電泳動粒子１５０が前記第一電極１１４ａの上に並んで配列されて、第一電極１１４ａを覆うので、使用者が図２ＡのＤ方向へ見る場合、前記画素ユニットが黒色と見える。
【０００６】
図２Ｂのように、１つの画素ユニットが第二駆動状態になっている場合、前記第一基板１１０の作用によって、前記密封空間Ｓ１（即ち画素ユニット）の一側に不均衡な電界Ｅ２が生ずる。前記密封空間Ｓ１の中の誘電泳動粒子１５０は、電界Ｅ２によって所定の方向へ動く。最後、前記誘電泳動粒子１５０が隣接した２つの第一電極１１４ａの間に集って、第一電極１１４ａを覆わないので、使用者が図２ＢのＤ１方向へ見る場合、前記画素ユニットが白色に見える。
【０００７】
しかし、上述した表示装置１００は、前記密封空間Ｓ１の中に一色の誘電泳動粒子１５０だけ入っていらないので、各々の画素ユニットが図２Ｂに示す第二駆動状態になる場合、黒い誘電泳動粒子１５０が第一電極１１４ａが白色を表示するものを妨害することができる。したがって、前記表示装置の表示質量が悪くなる。
【０００８】
本発明の主な目的は、表示質量を高めることができる表示装置を提供することにある。
【発明の開示】
【課題を解決するための手段】
【０００９】
上記課題を解決するために本発明では、第一基板（ｓｕｂｓｔｒａｔｅ）と；第一基板の上に設置されるパーティション・エレメント（ｐａｒｔｉｔｉｏｎ  ｅｌｅｍｅｎｔ）と；前記パーティション・エレメントの上に設置される第二基板と；前記第一基板と第二基板との間に形成され、且つ第一基板及び第二基板によって周囲に電界が生ずる少なく１つの密封空間（ａｃｃｏｍｍｏｄａｔｉｎｇ  ｒｏｏｍ）と；前記密封空間の中に入り、且つ第一誘電率を有する誘電液体（ｄｉｅｌｅｃｔｒｉｃ  ｌｉｑｕｉｄ）と、前記誘電液体の中に浮き、且つ第一色及び前記第一誘電率と違う第二誘電率を有する多数の誘電泳動粒子（ｄｉｅｌｅｃｔｒｏｐｈｏｒｅｔｉｃ  ｐａｒｔｉｃｌｅ）と；前記誘電液体の中に入り、且つ前記第一色と違う第二色有する多数の電気泳動粒子（ｅｌｅｃｔｒｏｐｈｏｒｅｓｉｓ  ｐａｒｔｉｃｌｅ）と、を含む表示装置を提供する。
【００１０】
前記表示装置において、前記第一基板は、第一ベースと、第一ベースの上に設置され、且つ少なく１つの第一電極を具備する第一電極層と、を含み、前記第二基板は、第二ベースと、この第二ベースの表面に設置される第二電極層と、を含む。
【００１１】
上記課題を解決するために本発明では、第一基板と；第一基板の上に設置されるパーティション・エレメントと；前記パーティション・エレメントの上に設置される第二基板と；前記第一基板と第二基板との間に形成され、且つ第一基板及び第二基板によって周囲に電界が生ずる少なく１つの密封空間と；前記密封空間の中に入り、且つ第一誘電率を有する誘電液体と；前記誘電液体の中に浮き、且つ第一色及び前記第一誘電率より大きい第二誘電率を有する多数の第一誘電泳動粒子と；前記誘電液体の中に浮き、且つ前記第一色と違う第二色と前記第一誘電率より小さい第三誘電率及び前記第一誘電泳動粒子の形状と違う形状有する多数の第二誘電泳動粒子と、を含む表示装置皿をさらに提供する。
【００１２】
前記表示装置において、前記第一基板は、第一ベースと、第一ベースの上に設置され、且つ少なく１つの第一電極を具備する第一電極層と、を含み、前記第二基板は、第二ベースと、この第二ベースの表面に設置される第二電極層と、を含む。
【００１３】
前記表示装置において、前記第一誘電泳動粒子の形状が棒状又は球状であり、前記第二誘電泳動粒子の形状が球状又は棒状である。
【発明の効果】
【００１４】
本発明の表示装置において、密封空間に２種の色を有する２種の粒子が入っているので、密封空間（即ち画素ユニット）が不同な２つの駆動状態で変化しても、２種の色をはっきり表示することができる。即ち、本発明の表示装置が従来の表示装置より高い表示効果を得られる。
【図面の簡単な説明】
【００１５】
【図１】従来の技術に係る表示装置を示す断面図である。
【図２Ａ】図１の１つの画素ユニットが第一駆動状態になっているのを示す局部断面図である。
【図２Ｂ】図１の１つの画素ユニットが第二駆動状態になっているのを示す局部断面図である。
【図３】本発明の第一実施形態に係る表示装置を示す断面図である。
【図４Ａ】図３の１つの画素ユニットが第一駆動状態になっているのを示す局部断面図である。
【図４Ｂ】図３の１つの画素ユニットが第二駆動状態になっているのを示す局部断面図である。
【図５】本発明の第二実施形態に係る表示装置を示す断面図である。
【図６】本発明の第三実施形態に係る表示装置を示す断面図である。
【図７Ａ】図６の１つの画素ユニットが第一駆動状態になっているのを示す局部断面図である。
【図７Ｂ】図６の１つの画素ユニットが第二駆動状態になっているのを示す局部断面図である。
【発明を実施するための形態】
【００１６】
図３は、本発明の第一実施形態に係る表示装置を示す断面図である。図３の表示装置２００は、第一基板（ｓｕｂｓｔｒａｔｅ）２１０と、パーティション・エレメント（ｐａｒｔｉｔｉｏｎ  ｅｌｅｍｅｎｔ）２２０と、第二基板２３０と、誘電液体（ｄｉｅｌｅｃｔｒｉｃ  ｌｉｑｕｉｄ）２４０と、多数の誘電泳動粒子（ｄｉｅｌｅｃｔｒｏｐｈｏｒｅｔｉｃ  ｐａｒｔｉｃｌｅ）２５０と、多数の電気泳動粒子（ｅｌｅｃｔｒｏｐｈｏｒｅｓｉｓ  ｐａｒｔｉｃｌｅ）２６０と、を含む。前記第一基板２１０は、第一ベース２１２と、第一ベース２１２の上に設置され、且つ多数の第一電極２１４ａを具備する第一電極層２１４と、を含む。前記パーティション・エレメント２２０は、前記第一基板２１０の上に設置されている。
【００１７】
前記第二基板２３０は、前記パーティション・エレメント２２０の上に設置されている。前記パーティション・エレメント２２０によって、前記第一基板２１０と第二基板２３０との間に多数の密封空間（ａｃｃｏｍｍｏｄａｔｉｎｇ  ｒｏｏｍ）Ｓ２が形成される。本実施形態のパーティション・エレメント２２０は、多数のミニ環状構造（ｍｉｃｒｏｃｕｐ）２２２から形成されている。各々の密封空間Ｓ２に形成される１つのミニ環状構造２２２を１つの画像ユニットに見なすことができる。前記第二基板２３０は、第一ベース２３２と、第一ベース２３２の内側に設置される第二電極層２３４と、を含む。前記第一基板２１０と第二基板２３０によって、前記密封空間Ｓ２の周囲に電界が生ずる（詳しいものは以下で説明する）。
【００１８】
前記誘電液体２４０は、所定の第一誘電率（ｄｉｅｌｅｃｔｒｉｃ  ｃｏｎｓｔａｎｔ）及び透明性を有し、前記密封空間Ｓ２の中に入っている。前記誘電泳動粒子２５０は、前記密封空間Ｓ２の誘電液体２４０の中に浮いている。各々の誘電泳動粒子２５０は、第一色と、前記第一誘電率と違う第二誘電率と、を有する。本実施形態で、第二誘電率が第一誘電率より小さい。前記電気泳動粒子２６０も、前記密封空間Ｓ２の誘電液体２４０の中に浮いている。各々の電気泳動粒子２６０は、第一色と違う第二色を有する。本実施形態で、各々の電気泳動粒子２６０が例えば正電荷（ｐｏｓｉｔｉｖｅ  ｃｈａｒｇｅ）で構成されている。
【００１９】
図４Ａは、図３の１つの画素ユニットが第一駆動状態になっているのを示す局部断面図である。図４Ｂは、図３の１つの画素ユニットが第二駆動状態になっているのを示す局部断面図である。図４Ａのように１つの画素ユニットが第一駆動状態になっている場合、前記第一基板２１０と第二基板２３０の作用によって、前記密封空間Ｓ２（即ち画素ユニット）の周囲に不均衡な電界Ｅ３が生じ、前記第一電極２１４ａの電圧が前記第二電極層２３４の電圧より小さくなる。前記電界Ｅ３によって、前記誘電泳動粒子２５０が電界が弱い所、即ち前記第二基板２３０の側へ動き、前記電気泳動粒子２６０が前記第一電極２１４ａの側へ動く。この場合、使用者が図４ＡのＤ２方向へ見ると、前記画素ユニットが第一色になっている。
【００２０】
図４Ｂのように１つの画素ユニットが第二駆動状態になっている場合、前記第一基板２１０と第二基板２３０の作用によって、前記密封空間Ｓ２（即ち画素ユニット）の周囲に不均衡な電界Ｅ４が生じ、且つ前記第一電極２１４ａの電圧が前記第二電極層２３４の電圧より大きくなる。電界Ｅ４によって、前記誘電泳動粒子２５０及び前記電気泳動粒子２６０がすべて電界が弱い所、即ち前記第二基板２３０の側へ動く。この場合、使用者が図４ＢのＤ２方向へ見ると、前記画素ユニットが第一色と第二色の混合色になっている。
【００２１】
上述したように、前記表示装置２００の密封空間Ｓ２に、違う色を有する誘電泳動粒子２５０及び電気泳動粒子２６０を具備するので、画素ユニットが不同な駆動状態になる場合、第一色と混合色（即ち第一色と第二色の混合色）をはっきり表示することができる。即ち、本発明の表示装置２００は、従来の表示装置より高い表示効果を得られる。
【００２２】
図５は、本発明の第二実施形態に係る表示装置を示す断面図である。図５の表示装置３００と図３の表示装置２００が違う所は、表示装置３００のパーティション・エレメント３２０が第一基板（図に表示なし）と第二基板（図に表示なし）の間の多数のミニ・カプセル（ｍｉｃｒｏｃａｐｓｕｌｅ）３２２から形成されるものである。この場合、密封空間Ｓ３が前記ミニ・カプセル３２２の中に形成されているのである。
【００２３】
図６は、本発明の第三実施形態に係る表示装置を示す断面図である。図６の表示装置４００と図３の表示装置２００が違う所は、表示装置４００が上述した部品の以外に第一誘電泳動粒子４５０及び第二誘電泳動粒子４６０を含むものである。前記第一誘電泳動粒子４５０及び第二誘電泳動粒子４６０は、密封空間Ｓ３の中に入り、且つ所定の第一誘電率を有する誘電液体４４０の中に浮いている。
【００２４】
各々の第一誘電泳動粒子４５０は、第一色と、前記第一誘電率より大きい第二誘電率と、を有し、各々の第二誘電泳動粒子４６０は、前記第一色と違う第二色と、前記第一誘電率より小さい第三誘電率と、を有している。前記第二誘電泳動粒子４６０の形状と前記第一誘電泳動粒子４５０の形状は違う。本実施形態において、前記第二誘電泳動粒子４６０が例えば略棒状に形成され、前記第一誘電泳動粒子４５０が例えば略球体に形成されている。且つ、略棒状に形成される前記第二誘電泳動粒子４６０が略球状に形成される前記第一誘電泳動粒子４５０より易く極性化（ｐｏｌａｒｉｚａｔｉｏｎ）される。
【００２５】
図６の表示装置４００において、パーティション・エレメント４２０が略コープ状４２２に形成されているが、他の実施形態で、前記パーティション・エレメント４２０を図５のミニ・カプセル状のように形成してもよい（図面に表示なし）。
【００２６】
図７Ａは、図６の１つの画素ユニットが第一駆動状態になっているのを示す局部断面図である。図７Ｂは、図６の１つの画素ユニットが第二駆動状態になっているのを示す局部断面図である。図７Ａのように１つの画素ユニットが第一駆動状態になっている場合、第一基板４１０と第二基板４３０によって密封空間Ｓ４（即ち画素ユニット）の周囲に不均衡な電界Ｅ５が生ずる。この場合、表示装置４００の駆動用周波数が小さい。しかし、前記駆動用周波数によって前記第二誘電泳動粒子４６０と前記第一誘電泳動粒子４５０がすべて極性化される。且つ、前記電界Ｅ５によって、前記第二誘電泳動粒子４６０は電界が弱い所、即ち第二基板４３０の側へ動き、前記第一誘電泳動粒子４５０は電界が強い所、即ち第一基板４１０の第一電極４１４ａの側へ動く。この場合、使用者が図７ＡのＤ３方向へ見ると、前記画素ユニットが第二色になっている。
【００２７】
図７Ｂのように１つの画素ユニットが第二駆動状態になっている場合、第一基板４１０と第二基板４３０によって密封空間Ｓ４（即ち画素ユニット）の周囲に不均衡な電界Ｅ５が生ずる。この場合、表示装置４００の駆動用周波数が比較に高い。前記駆動用周波数によって、前記第二誘電泳動粒子４６０が極性化されるが、前記第一誘電泳動粒子４５０は極性化されない。前記電界Ｅ５によって、前記第一誘電泳動粒子４５０と前記第二誘電泳動粒子４６０がすべて電界が弱い所へ動く。この場合、使用者が図７ＢのＤ３方向へ見ると、前記画素ユニットが第一色と第二色の混合色になっている。
【００２８】
上述した実施形態の表示装置は、密封空間に２種の色を有する２種の粒子が入っているので、画素ユニットが不同な駆動状態になっても、２種の色をはっきり表示することができる。即ち、本発明の表示装置が従来の表示装置より高い表示効果を得られる。
【符号の説明】
【００２９】
２００  表示装置
２１０  第一基板
２１２  第一ベース
２１４ａ  第一電極
２１４  第一電極層
２２０  パーティション・エレメント
２２２  ミニ環状構造
２３０  第二基板
２３２  第一ベース
２３４  第二電極層
２４０  誘電液体
２５０  誘電泳動粒子
２６０  電気泳動粒子
Ｓ２  密封空間
Ｅ３  電界
Ｅ４  電界
３００  表示装置
３２０  パーティション・エレメント
３２２  ミニ・カプセル
Ｓ３  密封空間
４００  表示装置
４１０  第一基板
４１４ａ  第一電極
４２０  パーティション・エレメント
４２２  コープ状
４３０  第二基板
４４０  誘電液体
４５０  第一誘電泳動粒子
４６０  第二誘電泳動粒子
Ｓ４  密封空間
Ｅ５  電界
【図１】
2010191401.tif 000003
【図２Ａ】
2010191401.tif 000004
【図２Ｂ】
2010191401.tif 000005
【図３】
2010191401.tif 000006
【図４Ａ】
2010191401.tif 000007
【図４Ｂ】
2010191401.tif 000008
【図５】
2010191401.tif 000009
【図６】
2010191401.tif 000010
【図７Ａ】
2010191401.tif 000011
【図７Ｂ】
2010191401.tif 000012